(57)【要約】【課題】複数のストラップを吊着して保持することができ、吊着した複数のストラップ同士が絡みにくく、また、複数のストラップが絡んだ場合でもこの絡み合いを簡単に解消することができ、携帯電話に結着する紐状体の切断によるストラップの紛失を防止する携帯電話用ストラップ保持具を提供することである。【解決手段】  紐状体を挿通可能な孔５を備える基部２と、複数の掛け部４を備えて携帯電話用ストラップを吊着する保持部３と、この保持部３を回動自在に基部２に連結する連結部とを有するものである。【選択図】図１
2007275203.tif 000002
【特許請求の範囲】
【請求項１】
携帯電話に吊着するための紐状体と、携帯電話用ストラップを吊着する複数の掛け部を備えて前記紐状体に接続される保持部とを有することを特徴とする携帯電話用ストラップ保持具。
【請求項２】
携帯電話に吊着するための紐状体と、この紐状体に接続される基部と、携帯電話用ストラップを吊着する複数の掛け部を備えて前記基部に連結される保持部とを有することを特徴とする携帯電話用ストラップ。
【請求項３】
携帯電話に吊着するための紐状体と、この紐状体に接続される基部と、携帯電話用ストラップを吊着する複数の掛け部を備える保持部と、この保持部を回動自在に前記基部に連結する連結部を有することを特徴とする携帯電話用ストラップ保持具。
【請求項４】
前記保持部は複数設けられることを特徴とする請求項２又は請求項３に記載の携帯電話用ストラップ保持具。
【請求項５】
前記掛け部は、回動自在に前記保持部に連結されることを特徴とする請求項１乃至請求項４のいずれか１項に記載の携帯電話用ストラップ保持具。
【発明の詳細な説明】
【技術分野】
【０００１】
本発明は、ストラップを吊着して保持し携帯電話に結着する携帯電話用ストラップ保持具に関する。
【背景技術】
【０００２】
近年、特に若者の間では、携帯電話に多数のストラップを結着して飾り着け、他との区別を図るとともにそのファッション性を楽しむことが行われている。しかしながら、通常、携帯電話のストラップ取り付け部には、一本のストラップしか結着できないので、複数のストラップを結着する場合には、ストラップ取り付け部に結着した一本のストラップの紐に他の複数のストラップを結着することが行われている。結着された複数のストラップは、全体的に雑然とし、また、ストラップ同士がすぐに絡み合ってしまうので大変見栄えが悪いものになっている。
さらに、ストラップの紐には本来の使用方法にない想定外の荷重がかかるので摩耗などにより切れ易くなり、所有者が気が付かないうちにストラップの紐が切断してしまい、愛着のあるストラップを紛失するということもしばしば見受けられる。このような携帯電話用のストラップに関しては、利便性の向上を目的として様々な機構等が考案されている。
【０００３】
例えば、特許文献１には、「ストラップ用止め具の回転支持機構」という名称で、受け部材と、この受け部材に着脱自在で、回動自在な回転突軸とこの回転突軸に嵌支される軸受部を備える差し部材とから構成されるストラップ用止め具の回転支持機構に関する発明が開示されている。
この特許文献１に開示された発明では、ネックストラップにストラップ用止め具を介して吊り下げられた携帯電話等の被吊体が反転すると、この被吊体の反転の動作に連動してストラップ用止め具の差し部材の回転突軸が回転するので、ネックストラップには反転による捻りが発生しない。したがって、ネックストラップは捻じれたり、捻り癖が付いたりすることがなく、体裁もよく使い易いものになっている。
【０００４】
また、特許文献２には、「携帯電話用ストラップ」という名称で、首掛け紐からなるストラップを巻き取り可能なリールを内蔵し、携帯電話に取り付け可能な巻取ケースを備える携帯電話用ストラップに関する発明が開示されている。
この特許文献２に開示された発明では、収納ボタンを押圧すると、この収納ボタンの押圧に連動する一方向回転停止爪が解除されて、ばねの弾性等の蓄積エネルギーによって、ストラップはリールに巻き取られるようになっている。したがって、巻取ケースから適当な長さのストラップを引っ張り出した後、収納ボタンを押圧して余分なストラップを巻き取ると、ストラップを所望の長さに設定することができる。携帯電話を衣類のポケットやかばんに入れる場合には、ストラップを短くすると、嵩張らず携帯電話はコンパクトになり、取り扱いが便利となる。また、ストラップを適当な長さに調整すると、首に掛けたり、手首に掛けたりすることができ、使用状況に合わせて使い分けることが可能である。さらに、巻取ケースにストラップの両端を同時に巻き取る孔を設けることで、巻き取り操作を迅速に行うことができるようになっている。
【０００５】
そして、特許文献３には、「携帯電話用ストラップ」という名称で、紐状のストラップ本体を任意の長さで巻回収可能な収容部を備える携帯電話用ストラップに関する発明が開示されている。
この特許文献３に開示された発明では、収容部にリールやばねやストッパが内設されており、ストッパを中立位置にしてストラップを引っ張るとリールが回転してリールに巻かれているストラップを収容部から所望の長さだけ繰り出すことができる。そして、ストッパへの操作力を解除すると、ストラップの移動によりストッパが回転してストッパと収容部の壁によりストラップを挟持して収容部から繰り出されるストラップの長さを固定できる。この後、再びストッパを中立位置にすると、繰り出し操作時に撓んだばねの弾性復元力によってストラップ本体はリールに巻き取られ、収容部に巻回状に収容される。このように、ストラップ本体の長さを自在に調整することができるので、ストラップ本体を所望の長さに設定すると、携帯電話を首や手首にかけて使用したり、または、かばん等に収納したり、種々の使用態様に対応することができる。
【特許文献１】特開２００１−１２８７２５号公報
【特許文献２】特開２００２−２４７１６７号公報
【特許文献３】特開２００３−９９３２号公報
【発明の開示】
【発明が解決しようとする課題】
【０００６】
しかしながら、特許文献１に記載された従来の技術では、ストラップ用止め具の一端に接続される携帯電話等の被吊体が反転すると、ストラップ用止め具に具備された回転支持機構も連動して回転し、他端に接続されるストラップは捻れることなく、その形態を保持しており、回転支持機構を介して接続される両者の動作が互いに及ぼす影響を回転支持機構によって解消するという発想は開示されているが、ストラップ用止め具には一本のストラップしか吊着することができず、複数のストラップを保持することができないという課題があった。
【０００７】
また、特許文献２及び特許文献３に記載された従来の技術においても、いずれもストラップの長さを調節可能にするものであり、複数のストラップを保持する構造ではない。
【０００８】
本発明はかかる従来の事情に対処してなされたものであり、複数のストラップを吊着して保持することができ、吊着した複数のストラップ同士が絡みにくく、また、複数のストラップが絡んだ場合でもこの絡み合いを簡単に解消することができ、携帯電話に結着する紐状体の切断によるストラップの紛失を防止する携帯電話用ストラップ保持具を提供することを目的とする。
【課題を解決するための手段】
【０００９】
上記目的を達成するため、請求項１記載の発明である携帯電話用ストラップ保持具は、携帯電話に吊着するための紐状体と、携帯電話用ストラップを吊着する複数の掛け部を備えて前記紐状体に接続される保持部とを有するものである。
上記構成の携帯電話用ストラップ保持具では、保持部に設けられる複数の掛け部に複数の携帯電話用ストラップを吊着した状態で、紐状体によって携帯電話のストラップ取り付け部に結着できるという作用を有する。
【００１０】
また、請求項２に記載の発明である携帯電話用ストラップ保持具は、携帯電話に吊着するための紐状体と、この紐状体に接続される基部と、携帯電話用ストラップを吊着する複数の掛け部を備え前記基部に連結される保持部とを有するものである。
上記構成の携帯電話用ストラップ保持では、請求項１に記載の発明とは、紐状体が基部に設けられるという点で異なるものの、保持部に設けられる複数の掛け部に複数の携帯電話用ストラップを吊着するという作用は同一である。
【００１１】
また、請求項３に記載の発明である携帯電話用ストラップ保持具は、携帯電話に吊着するための紐状体と、この紐状体に接続される基部と、携帯電話用ストラップを吊着する複数の掛け部を備える保持部と、この保持部を回動自在に前記基部に連結する連結部を有するものである。
本請求項の携帯電話用ストラップ保持具では、保持部に設けられる複数の掛け部に複数の携帯電話用ストラップを吊着した状態で、紐状体によって携帯電話のストラップ取り付け部に結着でき、さらに、保持部は連結部によって自在に回動するという作用を有する。
【００１２】
請求項４に記載の発明である携帯電話用ストラップ保持具は、請求項２又は請求項３に記載の携帯電話用ストラップ保持具において、保持部は複数設けられるものである。
上記構成の携帯電話用ストラップ保持具では、請求項２又は請求項３記載の発明の作用に加えて、複数設けられる保持部によって、より多数の携帯電話用ストラップを吊設されるという作用を有する。
【００１３】
最後に、請求項５に記載の発明である携帯電話用ストラップ保持具は、請求項１乃至請求項４のいずれか１項に記載の携帯電話用ストラップ保持具において、掛け部は、回動自在に保持部に連結されるものである。
上記構成の携帯電話用ストラップ保持具では、請求項１乃至請求項４に記載の発明の作用に加えて、複数の掛け部に吊設される携帯電話用ストラップが自在に回動するという作用を有する。
【発明の効果】
【００１４】
本発明の請求項１及び請求項２に記載の携帯電話用ストラップ保持具では、複数の携帯電話用ストラップを吊着させて携帯電話に結着することができる。
【００１５】
また、本発明の請求項３に記載の携帯電話用ストラップ保持具では、連結部によって保持部が回動自在であるので、保持部に吊着される複数のストラップ同士が絡みにくい構造になっている。また、複数のストラップが絡んだ場合でも、保持部を回動させることによって簡単に絡み合いを解消することができる。
【００１６】
また、本発明の請求項４に記載の携帯電話用ストラップ保持具では、保持部が複数設置されるので、さらに、多くの携帯電話用ストラップを吊着することができる。
【００１７】
そして、本発明の請求項５に記載の携帯電話用ストラップ保持具では、掛け部が保持部に回動自在に連結されるので、掛け部に吊着されるストラップが反転すると、掛け部が回動してこのストラップの捻れを解消し、他のストラップとの絡み合いを防止することができる。
【発明を実施するための最良の形態】
【００１８】
以下に、本発明に係る携帯電話用ストラップ保持具の最良の実施の形態を図１乃至図６に基づき説明する。
【実施例１】
【００１９】
まず、本発明の実施の形態に係る実施例１について説明する。（特に、請求項３，５に対応する。）
図１（ａ）は、本発明の実施の形態の実施例１に係る携帯電話用ストラップ保持具の概念図であり、（ｂ）は、同じく実施例１の携帯電話用ストラップ保持具の底面図である。
図１（ａ）において、本実施例１に係る携帯電話用ストラップ保持具１は、主に、基部２と、保持部３と、図示していないが、基部２と保持部３の内部に設置され、基部２と保持部３を連結するとともにこれらを回動自在に支持する連結部から構成される。
そして、保持部３の底部には複数の掛け部４が設けられており、これらの掛け部４には複数の携帯電話用ストラップを吊着することができる。なお、図示していないが、掛け部４は、掛け部４を回動自在に支持する回動部によって保持部３に連結されている。
【００２０】
また、基部２には紐通し孔５が設けられており、この紐通し孔５に挿通した紐６を携帯電話のストラップ取り付け部に接続することによって携帯電話用ストラップ保持具１は携帯電話に繋着される。なお、紐６には、掛け部４に吊着される複数のストラップの荷重に耐える強度を有するものを選定することが望ましい。紐６の切断によって吊着したストラップが紛失することを防止できるためである。
なお、紐６は、繊維、皮革、金属、樹脂などの材料で形成されるものであり、この材料は天然素材、人工素材の別を問うものではなく、一般的には紐６よりも細いとされる糸も含む概念である。また、紐６にフックを設けることで紐通し孔５に対して着脱可能に備えることができる。さらに、この後では紐６を保持部３に対して接続する実施例も示すが、その場合でもフックを設けることで、保持部３に対して着脱可能に備えることができる。
【００２１】
掛け部４に複数のストラップを吊着して携帯電話用ストラップ保持具１を携帯電話に取り付けると、携帯電話の反転等の動作によってストラップ同士が絡み易くなるが、本実施の形態では、基部２と保持部３は連結部によって回動自在になっているので、携帯電話が反転したりして紐６が捻れると、基部２が回動してこの捻れは解消され、掛け部４に吊着されるストラップに伝わることなく、ストラップ同士の絡み合いを防止することができる。
また、掛け部４に吊着したストラップが反転すると、この反転に連動して掛け部４が回動し、ストラップに反転による捻れを生じさせないようにしている。さらに、掛け部４に複数のストラップが吊着された場合では、掛け部４の回動に加えて保持部３も回動するので、より簡単にストラップの反転による捻れを解消することができる。そして、複数のストラップ同士が絡み合った場合でも、掛け部４や保持部３を回動させると、この絡み合いを容易に解くことができる。
【００２２】
次に、図１（ｂ）において、携帯電話用ストラップ保持具１を底面からみると、保持部３の底面には、詳細の形状は省略しているが、四個の掛け部４が同心円状に均等に配置されて設置されている。四個の掛け部４は適度な間隔を空けて設置されているので、各々の掛け部４に吊着されるストラップ間にも空間が生じ、この空間によってストラップ同士の絡み合いが低減される。本実施例１では、複数設置される掛け部４の各々に一本のストラップを吊着しても、複数のストラップを吊着してもよいが、複数のストラップを吊着すると、ストラップ間の空間は小さくなってストラップ同士の絡み合いが発生しやすくなるが、上述したように掛け部４や保持部３の回動によってこの絡み合いは低減できるととともに、絡み合いが生じた場合でも容易に解消することができる。
なお、本実施例１では、掛け部４の設置数を四個としているが、掛け部４の設置数及び設置位置は特に限定されるものではなく、掛け部４の回動に支障がない範囲であればよい。なお、掛け部４の設置数を増加すると、吊着可能なストラップの個数を増加することができる。
【００２３】
続いて、図２を用いて、携帯電話用ストラップ保持具の内部構造について説明する。
図２は、本実施例１に係る携帯電話用ストラップ保持具の内部構造を示す断面図である。なお、図２において、図１に記載されたものと同一部分については同一符号を付し、その構成についての説明は省略する。
図２において、携帯電話用ストラップ保持具１では、基部２と保持部３の内部に連結部７が嵌合されており、連結部７は、基部２と保持部３を連結するとともに、基部２と保持部３を回動自在に支持している。図２では、連結部７は断面がＩ形状であるが、基部２と保持部３を回動可能に支持できれば、その形状は特に限定されるものではないし、小さなベアリングなどを連結部７と基部２の間又は連結部７と保持部３の間、あるいはその両方に挟装することでより摩擦を低減して回動を容易にするようにしてもよい。
【００２４】
また、基部２及び保持部３の形状についても特に限定されるものでなく、円柱状以外にも多角形状や球状等にすることもできる。さらに、基部２に設置される保持部３は複数であってもよく、この場合、保持部３の新たな設置に伴って掛け部４の設置数が増加するのでさらに多くのストラップを吊着することが可能となる。また、基部２や保持部３自体に意匠性を付与し、例えば、動物を模った形状にすることもできる。
また、保持部３の底部には、回動部８を介して掛け部４が設置されている。掛け部４は回動部８によって回動自在になるように保持部３に連結されているので、吊着されるストラップの反転等の動作に連動して容易に回動することができる。なお、掛け部４の形状は五角形状以外にも、円形、楕円形、四角形及び三角形等、ストラップを吊着可能な形状にすることができる。また、ストッパを備えるフック等であってもよい。また、回動部８を介して掛け部４を設けなくとも、保持部３に凹状の穴を設けて、これに嵌合するような凸状の突起を掛け部４に一体に設けて掛け部４を回動可能に設けるようにしてもよい。
【００２５】
このように構成された本実施例１では、複数設置される掛け部４に複数のストラップを吊着した状態で携帯電話に接続することができるので、使用者は自分の嗜好に合わせて携帯電話を飾り着けて楽しむことができる。また、基部２、保持部３及び掛け部４が回動自在になっているので、携帯電話の反転によるストラップの捻りを防止したり、吊着された複数のストラップ同士の絡み合いを低減したりすることができる。
【実施例２】
【００２６】
次に、図３を参照しながら本発明の実施の形態に係る実施例２について説明する。（特に、請求項２及び請求項５に対応する。）
図３（ａ）は、本発明の実施の形態の実施例２に係る携帯電話用ストラップ保持具の概念図であり、（ｂ）は、同じく実施例２の携帯電話用ストラップ保持具の断面図である。
図３（ａ）において、実施例１では、基部２に紐通し孔５が設けられていたのに対して、本実施例の携帯電話用ストラップ保持具１では、保持部３に紐通し孔５が設けられており、この紐通し孔５に挿通した紐６を携帯電話のストラップ取り付け部に接続することによって携帯電話用ストラップ保持具１は携帯電話に繋着される。
保持部３には実施例１と同様に複数の掛け部４が設けられており、それぞれに携帯電話用のストラップを吊設することができる。
【００２７】
本実施例あるいは実施例１においては、紐通し孔５を設けて紐６を結着することで基部２や保持部３に接続しているが、紐通し孔５を設けることなく、例えば紐６を基部２や保持部３に直接埋め込んで一体化するようにして接続してもよい。
また、本実施例２では、掛け部４は回動自在に設けられていないが、もちろん、実施例１と同様に、掛け部４を回動自在に設けてもよい。それによって、実施例１と同様に掛け部４に吊着したストラップが反転すると、この反転に連動して掛け部４が回動し、ストラップに対して反転による捻れが生じないようにすることができる。
もちろん、複数設置される掛け部４に複数のストラップを吊着した状態で携帯電話に接続することができるので、使用者は自分の嗜好に合わせて携帯電話を飾り着けて楽しむことができる。この効果は、以下の実施例３及び４においても同様である。
【実施例３】
【００２８】
次に、図４及び図５を参照しながら本発明の実施の形態に係る実施例３について説明する。（特に、請求項２及び請求項５に対応する。）
図４（ａ）は、本発明の実施の形態の実施例３に係る携帯電話用ストラップ保持具の概念図であり、（ｂ）は、同じく実施例３の携帯電話用ストラップ保持具の断面図である。
図４（ａ）において、実施例１では、基部２が連結部７を介して保持部３に連結されていたのに対して、本実施例の携帯電話用ストラップ保持具１では、基部２ａ自体を介して、保持部３に連結されるものである。
基部２ａに対して、紐６は直接埋め込まれて一体に形成されており、この基部２ａを内包するような凹部３ａを保持部３に備えることで、この凹部３ａの内部に基部２ａを回動自在に収容して、保持部３の回動を可能としている。
保持部３には実施例１や実施例２と同様に複数の掛け部４が設けられており、それぞれに携帯電話用のストラップを吊設することができる。
実施例１のように連結部７を介さずとも、保持部３を回動可能に設けることが可能となり、よって、複数のストラップ同士が絡み合って生じるストラップの反転による捻れを解消することができる。
【００２９】
本実施例３においては、基部２ａと紐６の接続を一体に形成して行ったが、実施例２のように紐通し孔５を設けて紐６を結着させるようにして接続してもよい。
また、本実施例３においても、掛け部４は回動自在に設けられていないが、実施例１と同様に、掛け部４を回動自在に設けてもよい。それによって、実施例１と同様に掛け部４に吊着したストラップが反転すると、この反転に連動して掛け部４が回動し、保持部３の回動を相まって、より効果的にストラップに対して反転による捻れが生じないようにすることができる。
なお、図４に示される本実施例３では、基部２ａを保持部３の内部に収納するように凹部３ａを設けたが、図５に実施例３の変形例として示されるように、保持部３に凸部３ｂを設けて、基部２ｂを連結して回動可能にしてもよい。
このように構成しても実施例１に示される連結部７なしで保持部３を回動可能とすることができる。
【実施例４】
【００３０】
次に、図６を参照しながら本実施の形態の実施例４に係る携帯電話用ストラップ保持具について説明する。（特に、請求項４及び請求項５に対応する。）
図６は、本実施の形態の実施例４に係る携帯電話用ストラップ保持具を示す概念図である。なお、図６において、図１に記載されたものと同一部分については同一符号を付し、その構成についての説明は省略する。
図６において、携帯電話用ストラップ保持具９は、円柱状の基部２の左右両面に各々第１の保持部１０と第２の保持部１１が設置された構造を有している。そして、第１の保持部１０及び第２の保持部１１には、ストラップを吊着可能な複数の掛け部４がそれぞれ設けられている。なお、図示していないが、第１の保持部１０と第２の保持部１１は、それぞれに設置される連結部によって回動自在に基部２に連結されている。また、複数の掛け部４も、それぞれ回動部８によって回動自在に保持部に連結されている。
【００３１】
このように携帯電話用ストラップ保持具９では、一の基部２に二の保持部を設置しているので、保持部に設けられる掛け部４の設置数が増加し、その結果、吊着可能なストラップの個数を増加することができる。また、回動自在に設置される第１の保持部１０、第２の保持部１１及び掛け部４によって、吊着されるストラップの絡み合いが防止されている。
本実施例４においては、基部２を円柱状としてその上面と底面の両面に保持部を２つ設けたが、この形態に限定するものではなく、基部２を多面体として、その面それぞれに保持部を設けることによれば、さらに多数のストラップを設けることが可能である。
また、本実施例４では、連結部を介して基部２と保持部３を連結したが、連結部を介することなく直接基部２と保持部３を連結するように構成してもよいことは言うまでもない。
【産業上の利用可能性】
【００３２】
以上説明したように、本発明の請求項１乃至請求項５に記載された発明は、複数のストラップを吊着可能で、しかも吊着されるストラップ同士が絡みにくい携帯電話用ストラップ保持具を提供可能であり、携帯電話を所有する個人において利用可能である。
【図面の簡単な説明】
【００３３】
【図１】（ａ）は本発明の実施の形態の実施例１に係る携帯電話用ストラップ保持具の概念図であり、（ｂ）は同じく実施例１の携帯電話用ストラップ保持具の底面図である。
【図２】実施例１に係る携帯電話用ストラップ保持具の内部構造を示す断面図である。
【図３】（ａ）は本発明の実施の形態の実施例２に係る携帯電話用ストラップ保持具の概念図であり、（ｂ）は同じく実施例２の携帯電話用ストラップ保持具の断面図である。
【図４】（ａ）は本発明の実施の形態の実施例３に係る携帯電話用ストラップ保持具の概念図であり、（ｂ）は同じく実施例３の携帯電話用ストラップ保持具の断面図である。
【図５】本発明の実施の形態の実施例３に係る携帯電話用ストラップ保持具の変形例を示す概念図である。
【図６】本発明の実施の形態の実施例４に係る携帯電話用ストラップ保持具を示す概念図である。
【符号の説明】
【００３４】
１…携帯電話用ストラップ保持具  ２，２ａ，２ｂ…基部  ３…保持部  ３ａ…凹部  ３ｂ…凸部  ４…掛け部  ５…紐通し孔  ６…紐  ７…連結部  ８…回動部  ９…携帯電話用ストラップ保持具  １０…第１の保持部  １１…第２の保持部
【図３】
2007275203.tif 000003
【図４】
2007275203.tif 000004
【図５】
2007275203.tif 000005
【図１】
2007275203.tif 000006
【図２】
2007275203.tif 000007
【図６】
2007275203.tif 000008